【手続補正書】
【提出日】平成24年8月31日(2012.8.31)
【手続補正１】
【補正対象書類名】特許請求の範囲
【補正対象項目名】全文
【補正方法】変更
【補正の内容】
【特許請求の範囲】
【請求項１】
アプリケーションに対応した表示画面の送信要求をサーバ装置に送信する要求送信手段と、
前記送信要求に対応する表示画面の画面データを前記サーバ装置から受信する画面データ受信手段と、
前記画面データ受信手段により受信された画面データに応じて表示される表示画面上の位置情報を前記サーバ装置に送信する位置送信手段と、
前記位置送信手段により送信された前記表示画面上の位置情報に対応する位置が前記表示画面上に登録された簡易プログラムを示す表示の表示範囲内である場合に、前記簡易プログラムを受信する簡易プログラム受信手段と、
前記画面データ受信手段により受信された画面データに基づく表示画面と前記簡易プログラム受信手段により受信された前記簡易プログラムを示す表示とを合わせて表示する合成画面表示手段と、
前記簡易プログラム受信手段により受信された前記簡易プログラムに処理を実行させる簡易プログラム処理手段と、
前記合成画面表示手段により表示された前記簡易プログラムの表示を前記簡易プログラム処理手段により処理を実行した後の前記簡易プログラムの表示に随時更新する更新表示手段と、
を備えることを特徴とする情報処理端末。
【請求項２】
前記簡易プログラム受信手段は、前記位置送信手段が送信した表示画面上の位置情報に対応する位置が前記表示画面上に登録された別の簡易プログラムを示す表示の表示範囲内に移動した場合に、前記別の簡易プログラムを受信することを特徴とする請求項１に記載の情報処理端末。
【請求項３】
前記要求送信手段は、前記位置送信手段が送信した表示画面上の位置情報が前記簡易プログラムの表示範囲内から離れた位置となった場合に、前記表示画面の送信要求を再び送信することを特徴とする請求項１又は２に記載の情報処理端末。
【請求項４】
前記要求送信手段は、前記アプリケーションの変更がなされた場合に該アプリケーションの変更に伴って更新される表示画面の送信要求を送信することを特徴とする請求項１乃至３の何れか１項に記載の情報処理端末。
【請求項５】
情報処理端末からアプリケーションに対応した表示画面の送信要求を受信する要求受信手段と、
前記要求受信手段により受信した送信要求に対応する表示画面の画面データを前記情報処理端末に送信する画面データ送信手段と、
前記画面データに応じて前記情報処理端末に表示される表示画面上の位置情報を受信する位置受信手段と、
前記位置受信手段により受信された前記表示画面上の位置情報に対応する位置が前記表示画面上に登録された簡易プログラムを示す表示の表示範囲内である場合に、前記簡易プログラムを前記情報処理端末に送信する簡易プログラム送信手段と、
を備えることを特徴とするサーバ装置。
【請求項６】
前記簡易プログラム送信手段は、前記位置受信手段により受信した表示画面上の位置情報に対応する位置が前記表示画面上に登録された別の簡易プログラムを示す表示の表示範囲内に移動した場合に、前記別の簡易プログラムを前記情報処理端末に送信することを特徴とする請求項５に記載のサーバ装置。
【請求項７】
前記要求受信手段は、前記位置受信手段が受信した表示画面上の位置情報が前記簡易プログラムの表示範囲内から離れた位置となった場合に、前記表示画面の送信要求を再び受信することを特徴とする請求項５又は６に記載のサーバ装置。
【請求項８】
前記画面データ送信手段は、前記要求受信手段により前記表示画面の更新を要求するための送信要求が受信された場合に、更新された表示画面の画面データを送信することを特徴とする請求項５乃至７の何れか１項に記載のサーバ装置。
【請求項９】
ＵＲＬデータを含むウィジェットと当該ウィジェットの位置情報を含むＷｅｂブラウザの表示画面データを表示する表示手段と、
ポインタの位置情報を検出する位置検出手段と、
前記ポインタの位置情報が前記ウィジェットの位置情報の表示範囲内にあるかを判定する判定手段と、
前記判定手段が前記ポインタの位置情報が前記ウィジェットの位置情報の表示範囲内にあると判定した場合、前記ウィジェットに含まれたＵＲＬデータに対応したデータを取得する取得手段と、
前記取得されたデータを表示手段に表示させる表示制御手段と、
を備えたことを特徴とする情報処理装置。
【請求項１０】
コンピュータを、
サーバ装置にアプリケーションに対応した表示画面の送信要求を送信する要求送信手段、
前記送信要求に対応する表示画面の画面データを前記サーバ装置から受信する画面データ受信手段、
前記画面データ受信手段により受信された画面データに応じて表示される表示画面上の位置情報を前記サーバ装置に送信する位置送信手段、
前記位置送信手段により送信された前記表示画面上の位置情報に対応する位置が前記表示画面上に登録された簡易プログラムを示す表示の表示範囲内である場合に、前記簡易プログラムを受信する簡易プログラム受信手段、
前記画面データ受信手段により受信された画面データに基づく表示画面と前記簡易プログラム受信手段により受信された前記簡易プログラムを示す表示とを合わせて表示する合成画面表示手段、
前記簡易プログラム受信手段により受信された前記簡易プログラムに処理を実行させる簡易プログラム処理手段、
前記合成画面表示手段により表示された前記簡易プログラムの表示を前記簡易プログラム処理手段により処理を実行した後の前記簡易プログラムの表示に随時更新する更新表示手段、
として機能させるためのプログラム。
【請求項１１】
コンピュータを、
情報処理端末からアプリケーションに対応した表示画面の送信要求を受信する要求受信手段、
前記要求受信手段により受信した送信要求に対応する表示画面の画面データを前記情報処理端末に送信する画面データ送信手段、
前記画面データに応じて前記情報処理端末に表示される表示画面上の位置情報を受信する位置受信手段、
前記位置受信手段により受信された前記表示画面上の位置情報に対応する位置が前記表示画面上に登録された簡易プログラムを示す表示の表示範囲内である場合に、前記簡易プログラムを前記情報処理端末に送信する簡易プログラム送信手段、
として機能させるためのプログラム。
【請求項１２】
コンピュータを、
ＵＲＬデータを含むウィジェットと当該ウィジェットの位置情報を含むＷｅｂブラウザの表示画面データを表示する表示手段、
ポインタの位置情報を検出する位置検出手段、
前記ポインタの位置情報が前記ウィジェットの位置情報の表示範囲内にあるかを判定する判定手段、
前記判定手段が前記ポインタの位置情報が前記ウィジェットの位置情報の表示範囲内にあると判定した場合、前記ウィジェットに含まれたＵＲＬデータに対応したデータを取得する取得手段、
前記取得されたデータを表示手段に表示させる表示制御手段、
として機能させるためのプログラム。
【手続補正２】
【補正対象書類名】明細書
【補正対象項目名】発明の名称
【補正方法】変更
【補正の内容】
【発明の名称】情報処理端末、サーバ装置、情報処理装置、及びプログラム
【手続補正３】
【補正対象書類名】明細書
【補正対象項目名】０００１
【補正方法】変更
【補正の内容】
【０００１】
本発明は、情報処理端末とサーバ装置、情報処理装置、及びコンピュータで実行されるプログラムに関する。
【手続補正４】
【補正対象書類名】明細書
【補正対象項目名】０００７
【補正方法】変更
【補正の内容】
【０００７】
本発明は、上記の事情に鑑みてなされたもので、動的な表示を伴う場合の表示画面の更新を迅速に行うことができる情報処理端末とサーバ装置、情報処理装置、及びコンピュータで実行されるプログラムを提供することを目的とする。
【手続補正５】
【補正対象書類名】明細書
【補正対象項目名】００２２
【補正方法】変更
【補正の内容】
【００２２】
本発明によれば、動的な表示を伴う場合の表示画面の更新を迅速に行うことができる。